(57)【要約】      （修正有）【課題】お寺や霊園のお墓の花立における蚊の発生を防止する蚊繁殖防止用具を提供する。【解決手段】逆円錐台の形状で内側に空間を設けて、内側の天端を肉薄にして可撓性を有する様に形成２して、、中心より八方に生ける生花の茎の太さに合わせた切り込み４を入れ、茎との密着を高め、生花が無い時には切り込み４が戻り隙間を減らし、蚊の出入りを防ぎ、外側は厚みを持たせ高弾性を確保し、花立との接点が増えるようにし生花が大きく揺れても外れ難くい逆円錐台の形状の蚊繁殖防止用具。【選択図】図１
2020150925.tif 000002
【特許請求の範囲】
【請求項１】
逆円錐台の形状で内側に空間を設けて、内側の天端を肉薄にして可撓性を有する様に形成して、中心より八方に生ける生花の茎の太さに合わせた切り込みを入れ、茎との密着を高め、生花が無い時には切り込みが戻り隙間を減らし、ゴミや蚊の出入りを防ぐ事を特徴とし、外側は厚みを持たせ高弾性を確保し、花立との接点が増えるようにし生花が大きく揺れても外れ難くいことを特徴とする逆円錐台の形状の蚊繁殖防止用具。
【請求項２】
請求項１の逆円錐台の形状の蚊繁殖防止用具を装着させる花立の内径の円周に合わせ、更に花立の深さに合わせて不織布等ろ過材を切断して、生花の茎が花立の中心なる様の包み込むようにして花立に同時に入れる事で、花立内の茎を不織布等ろ過材と一体化して花立と安定を図り、請求項１の逆円錐台の形状の蚊繁殖防止用具の中心部に力が掛り難い様に花の揺れを抑え、又花立内の水に仮に蚊の卵が入り孵化しボウフラが発生した場合には移動障害物として息継ぎに時間を掛けさせ窒息死に至らせる、又羽化したとしても羽根に障害を負わせ健常な成虫になる確率を低くさせる物理的成長抑制を特徴とする不織布等ろ過材の蚊繁殖防止用具。
【請求項３】
請求項１の蚊繁殖防止用具の外側を逆円錐台の形状の斜辺部分を長くし厚みを持たせ高弾性を確保し、花立から外れようとする力に数点で接し対抗力を高めるように内部側にやや反りを入れる事を特徴とする蚊繁殖防止用具。
【請求項４】
請求項１の逆円錐台の形状の肉薄部分に型紙、又はガイド線を配し、中心より八方に生ける生花の茎の太さに合わせた切り込みを入れ、生花の茎に合わせた最小限の空間を設け、茎の密着する事で蚊の侵入を防ぐこと、生花が無い時には切り込みが戻り隙間を無くすことで蚊の侵入やごみの侵入を防ぐ事を特徴とする蚊繁殖防止用具
【請求項５】
請求項３の蚊繁殖防止用具は、数種の寸法の花立へ汎用出来るが、花立の太さにより花立最上部と蚊繁殖防止用具天端に水の溜まる空間ができる、そこへの溜まり水を無くすオーバーフロー排水用の穴を特徴とする蚊繁殖防止花立用具。
【発明の詳細な説明】
【技術分野】
【０００１】  本発明はお墓参りの際に花立に水を入れ生花を生ける、その際に落ち葉やごみ雨水が後から入る空間が有る為に、周辺の蚊が産卵できる条件が整っている、その条件を物理的に整わない様にして花立が蚊の産卵に適さない様にし、蚊の繁殖を防止する用具に関するものである。
【背景技術】
【０００２】  墓石の前面には、生花を生ける為の花立が設置されていて、お盆や彼岸、又故人の命日に墓を清掃すると共に花立に新しい生花を生け、故人の供養を行うのが一般的であるが、供養日以降は次の供養日までは花立の管理が出来ていない事が多い、墓地周辺には野生の蚊が生息していることが多いが産卵するために栄養となる血液と産み付ける水溜りが必要となる。花立内に生花を生かす水があり又雨水が溜まり易く、溜まり水が存在している事が多い、又定期的に無防備な状態でご供養に人が来る為、産卵に必要な血液を得易いなど養殖場の様な環境と言える。日本の国際化が進むに連れて、墓地にも多くの多民族の方が訪れる事で蚊媒介感染症の感染確率の高い場所と認識できる事から改善を必要とする場所である。【０００３】  花立の別な課題として生花が強風で飛ばされ周辺に迷惑を掛ける懸念もあり、その対策として特許文献１に示すように、弾性、可撓性を有する薄肉の円板体から成り、中央部に複数本のスリット部を前記円板体の略中心点から外側に向けて設け、これらの隣り合うスリット部間に舌片を形成すると共に、前記舌片の両側に凹凸部を鋸歯状に形成し、隣接する前記舌片同士の凹凸部の凹部同士、凸部同士を対向させて配置することにより、前記舌片間に前記凹部同士による複数個の空間を設けたことを特徴とする生花固定具を開示している。【０００４】  しかし蚊の産卵を抑えることには不向きな凹部同士による複数個の空間が蚊の出入りを許し、又可撓性を有する薄肉の円板体が頭でっかち生花を固定する際、生花の茎との支点となる事から強風で煽られた際にたわみを起こし外れることがあり蚊の出入りできる空間が更に大きくなる懸念があり改善が必要である。
【先行技術文献】
【特許文献】
【特許文献１】特許２０１４−１０２４７０公報  審査請求  ２０１４年６月４日
【発明の概要】
【発明が解決しようとする課題】
【０００５】  花立内に蚊の産卵をさせない。それを達成するには供養日から次の供養日までの花立の入り口に蚊が入り込める隙間を作らず、生花を生け、枯れた後も蚊が花立に入れない様にすることで解決出来る。【０００６】  本発明の目的は上述の課題を解消し花立に生花を生けながら物理的に蚊が出入りできないようにすることと同時に、生花が飛ばされて更に大きな空間が空かない事を防止する蚊繁殖防止用具を提供する事にある。
【課題を解決するための手段】
【０００７】逆円錐台の形状で内側に空間を設けて、内側の天端を肉薄にして可撓性を有する様に形成して、中心より八方に生ける生花の茎の太さに合わせた切り込みを入れ、茎との密着を高め、生花が無い時には切り込みが戻り隙間を減らし、ゴミや蚊の出入りを防ぐ事を特徴とし、外側は厚みを持たせ高弾性を確保し、花立との接点が増えるようにし生花が大きく揺れても外れ難くした。【０００８】逆円錐台の形状の蚊繁殖防止用具を装着させる花立の内径の円周に合わせ、更に花立の深さに合わせて不織布等ろ過材の蚊繁殖防止用具を切断して、生花の茎が花立の中心なる様の包み込むようにして花立に同時に入れる事で、花立内の茎を不織布等ろ過材の蚊繁殖防止用具と一体化して花立と安定を図り花の揺れを抑える、又花立内に水に仮に蚊の卵が入り孵化しボウフラが発生した場合には移動障害物として息継ぎに時間を掛けさせ窒息死に至らせる、又羽化したとしても羽根に障害を負わせ健常な成虫になる確率を低くさせる物理的成長抑制を可能にした。
【発明の効果】
【０００９】逆円錐台の形状で天端を肉薄にして可撓性を有する様に形成して、中心より八方に生ける生花の茎の太さに合わせた切り込みを入れ、茎との密着を高めたことから、外部から水が見えず、蚊の出入りを防ぐ。また外側は厚みを持たせ高弾性を確保し、花立との接点が増えるようにし、更に適寸の不織布等ろ過材を、生花の茎が花立の中心なる様の包み込むようにして花立に同時に入れる事で、花立内の茎を不織布等ろ過材と一体化して花立と安定を図り花の揺れを抑えることで、天端の肉薄部分の茎の固定の負担を減らし、強風でも密着度を保ち、外側の厚みを持たせ高弾性を確保し花立との固定を主とした部分には力が伝わらずに外れ難くした。又花立内に水に仮に蚊の卵が入り孵化しボウフラが発生した場合には移動障害物として息継ぎに時間を掛けさせ窒息死に至らせる、又羽化したとしても羽根に障害を負わせ健常な成虫になる確率を低くさせる物理的成長抑制を有する等蚊の産卵、繁殖条件を整わせない。逆円錐台の形状の蚊繁殖防止用具と不織布等ろ過材の蚊繁殖防止用具を同時に使う事で互いのメリットを犯す自然の脅威から守り課題の解消と効果を長く維持できる。又雨の多い地域ではオーバーフロー排水用の穴を特徴とする蚊繁殖防止花立用具を使うことで更に完全な蚊の繁殖防止が可能となる。
【図面の簡単な説明】
【００１０】
【図１】本発明の逆円錐台形状の蚊繁殖防止用具（１）、及び不織布等ろ過材で形成する蚊繁殖防止用具（７）敷設断面図。
【図２】本発明の逆円錐台形状の蚊繁殖防止用具（１）の断面図
【図３】本発明の不織布等ろ過材の蚊繁殖防止用具（７）切断幅指示図。
【図４】本発明の肉薄部分に型紙、又はガイド線図
【図５】本発明のオーバーフロー排水用の穴を特徴とする蚊繁殖防止花立用具（Ａａ）の見下げ図
【発明を実施するための形態】
【００１１】  本発明を図示の実施例に基づいて詳細に説明する。
【実施例】  図１は花立（Ａ）に図２逆円錐台形状の蚊繁殖防止用具（１）と図３不織布等ろ過材の蚊繁殖防止用具（７）を用い生花（Ｇ）を生けた状態の断面を示した図である。
【発明を実施するための手順】
【００１２】１．図２の逆円錐台の形状の蚊繁殖防止用具（１）に図４の型紙（５）を仮付けして、ガイド線を利用して生花（Ｇ）の茎の太さに合わせて中心（４）から八方に切り込みを入れる。
２．図３の不織布等ろ過材の蚊繁殖防止用具（７）を花立（Ａ）の内径円周（Ｆ）に合わせ、及び（Ｄ）＝［花立（Ａ）の深さ―蚊繁殖防止用具（１）の高さ（３）―天端の差寸法（Ｃ）―１０ｍｍ］に合わせて切断する。
３．花立に図３の不織布等ろ過材の蚊繁殖防止用具（７）の深さ（Ｄ）寸法よりマイナス２０ｍｍ程度の水位（Ｂ）で水を入れて置く。
４．図２の逆円錐台の形状の蚊繁殖防止用具（１）の中心（４）に入れた切り込みに生花の茎を差し込み、図３の不織布等ろ過材の蚊繁殖防止用具（７）の深さ（Ｄ）寸法まで差し進める。
５．適寸まで進めた茎に図３の不織布等ろ過材の蚊繁殖防止用具（７）を巻き付け、花立（Ａ）に挿入する。
６．生花（Ｇ）の向きを決めてから図２の逆円錐台の形状の蚊繁殖防止用具（１）を花立（Ａ）に更に押し込み固定する。
７．雨の多い地域では花立（Ａ）代わりオーバーフロー排水用の穴を特徴とする蚊繁殖防止花立用具（Ａａ）を用いることで溜まり水を防ぐ効果が高まる。
【符号の説明】
【００１３】１．    逆円錐台形状の蚊繁殖防止用具
２．    内側を肉薄にして可撓性を有する部分
３．    外側の斜辺部分を長くし厚みを持たせ高弾性を有する部分
３ａ．  外側の斜辺部分に内側にやや反りを入れる
４．    内側の肉薄部分に切り込みを入れる中心部
５．    肉薄部分に仮止めする型紙、又はガイド線
６．    オーバーフロー排水用穴
７．    不織布等ろ過材の蚊繁殖防止用具
Ａ．    花立
Ａａ．  オーバーフロー排水用の穴を特徴とする蚊繁殖防止花立用具
Ｂ．    水位（水位はＤ寸法―１０ｍｍ位）
Ｃ．    天端の差寸法＝花立（Ａ）の天端と逆円錐台の形状の蚊繁殖防止用具（１）を押        し込んだ際の天端の差寸法
Ｄ．    不織布等ろ過材の蚊繁殖防止用具（７）の深さ寸法＝［花立（Ａ）の深さ―蚊繁        殖防止用具（１）の高さ（３）―天端の差寸法（Ｃ）―１０ｍｍ位］
Ｆ．    不織布等ろ過材の蚊繁殖防止用具（７）の花立（Ａ）内径円周寸法
Ｇ．    生花
【図１】
2020150925.tif 000003
【図２】
2020150925.tif 000004
【図３】
2020150925.tif 000005
【図４】
2020150925.tif 000006
【図５】
2020150925.tif 000007